(57)【要約】【課題】頂壁の係止片と胴部との係合を容易に解除でき、しかも係止片を繰り返し利用して頂部側の開口部を何回でも開閉できる包装箱を提供すること。【解決手段】包装箱１は、前後壁２，３と側壁４，５とからなる胴部６の一端側開口部８を頂壁９とフラップ１７とにより開閉可能な六面体である。頂壁９の自由端縁１４に設けられた係止片１５は、前壁２に連接するフラップ１７に形成したスリット１８から包装箱内に挿入されて包装箱１に係合される。フラップ１７と前壁２とには、スリットの両側部から前壁２の上端縁１６を越えて前壁２を上下方向へ延びる切り離し可能なＵ字状の線条１９により画成された切り取り可能域２０が形成され、スリット１８から挿入された係止片１５は、切り取り可能域２０を線条１９で切り離した後の窓３３から取り出し可能である。【選択図】      図１
2004352273.tif 000002
【特許請求の範囲】
【請求項１】
互いに並行して上下方向へ延びる一対の前後壁および一対の側壁からなる胴部と、前記後壁の上端縁に連接されて前記胴部における一端の開口部を開閉可能な頂壁と、前記前後壁のいずれかの下端縁に連接されて前記胴部における他端の開口部を開閉可能な底壁とを備え、前記胴部、前記頂壁および前記底壁が可撓性材料で形成され、前記各開口部が矩形を呈する六面体の包装箱において、
前記前壁の上端縁に連接されたフラップと、前記フラップに形成されてその幅方向へ延び、中央部で前記上端縁とは反対側の方向へ突出した中央突出部を有するスリットと、該スリットの両側部から前記前壁の前記上端縁を越えて前記前壁を前記上下方向へ延出する切り離し可能な線条により画成された切り取り可能域と、前記頂壁が連接する前記後壁の前記上端縁とは反対側の自由端縁に連接され、前記スリットを通過可能な係止片とを備え、
前記係止片が、前記スリットの前記中央突出部の幅寸法と同じかそれより小さな幅を有する基端部と、該基端部に連接され、最大幅が前記スリットの幅寸法にほぼ等しいか僅かに小さい先端係止部とを備え、
前記係止片を前記頂壁の前記自由端縁で折曲して前記スリットに挿入すると、前記スリットの前記中央突出部に前記基端部が進入し、前記先端係止部が前記中央突出部の両側の前記フラップ内面に係合し、
前記係止片を前記スリットから外すときには、前記線条を切り離して前記切り取り可能域を前記フラップと前記前壁とから除去し、前記係止片取り出し用の窓を形成することを特徴とする包装箱。
【請求項２】
前記頂壁の前記自由端縁における横方向中央部に凹所が形成され、前記係止片の前記基端部が、前記凹所を画成している前記自由端縁に連接している請求項１に記載の包装箱。
【請求項３】
前記係止片の前記先端係止部が、前記基端部の両側縁に対してほぼ直角に横方向外側に延びる肩部形成縁と、前記各肩部形成縁の端部どうしをむすぶ曲線とで形成された半円形状を呈している請求項１又は請求項２に記載の包装箱。
【発明の詳細な説明】
【０００１】
【発明の属する技術分野】
本発明は、包装箱に関し、さらに詳しくは頂壁の閉鎖状態を維持するための開放阻止手段を備えていながら、頂壁の開放操作が簡単な包装箱に関する。
【０００２】
【従来の技術】
可撓性を有する６つの壁が実質的に直交する六面体からなり、それら壁に囲繞された収納空間に商品を収納して使用する包装箱は公知である（例えば、特許文献１参照）。特許文献１に開示された包装箱は、例えばポリ塩化ビニル、ポリエチレン（ＰＥＴ）、或いはポリプロピレン（ＰＰ）などの合成樹脂材料から形成されているもので、この包装箱は、相対向する前壁及び後壁と、これら前壁と後壁の両側縁部に縦方向の折曲げ線を介して連接された一対の相対向する側壁とからなる胴部を備え、この胴部の後壁における両端縁には、胴部の両端開口部を開閉可能な主フラップが連接され、また胴部の各側壁における両端縁には、サイドフラップが連接されている。
【０００３】
この包装箱では、主フラップに差し込み片が連接され、主フラップと差し込み片との連接部における両側部には横Ｌ字形の切込み部が入れられている。主フラップが胴部の開口部を閉鎖するように連接部で折曲されたとき、切込み部にはサイドフラップに設けられた突出片が挿入して主フラップが簡単に開かないように係止する。すなわち、主フラップと差し込み片との連接部に設けられた横Ｌ字形の切込み部と、サイドフラップに設けられた突出片とが開放阻止手段を構成している。これと同様な構造によって主フラップの開放阻止機能を与えるようにした包装箱は、例えば特許文献２にも開示されている。
【０００４】
【特許文献１】
特開平８−１３３２７５号公報
【特許文献２】
実開昭６３−１５４４２０号公報
【０００５】
【発明が解決しようとする課題】
特許文献１，２に開示された包装箱では、主フラップを折り曲げて胴部の開口部を閉鎖したとき、前述の開放阻止手段が作用して該主フラップが簡単に開かなくなるが、逆に、胴部の開口部を閉鎖している主フラップを開こうとすると開放阻止手段が作用して容易に開かず、包装箱内部に収納した商品などの物品を簡単に取り出すことができない、という問題があった。
【０００６】
本発明の目的は、頂壁に形成した係止片と胴部との係合を容易に解除することができ、しかも係止片を繰り返し利用して胴部における頂部側の開口部を何回でも開閉することができる包装箱を提供することにある。
【０００７】
【課題を解決するための手段】
前記課題を解決するための本発明の前提は、互いに並行して上下方向へ延びる一対の前後壁および一対の側壁からなる胴部と、前記後壁の上端縁に連接されて前記胴部における一端の開口部を開閉可能な頂壁と、前記前後壁のいずれかの下端縁に連接されて前記胴部における他端の開口部を開閉可能な底壁とを備え、前記胴部、前記頂壁および前記底壁が可撓性材料で形成され、前記各開口部が矩形を呈する六面体の包装箱である。
【０００８】
かかる前提における本発明の特徴は、前記前壁の上端縁に連接されたフラップと、前記フラップに形成されてその幅方向へ延び、中央部で前記上端縁とは反対側の方向へ突出した中央突出部を有するスリットと、該スリットの両側部から前記前壁の前記上端縁を越えて前記前壁を前記上下方向へ延出する切り離し可能な線条により画成された切り取り可能域と、前記頂壁が連接する前記後壁の前記上端縁とは反対側の自由端縁に連接され、前記スリットを通過可能な係止片とを備え、前記係止片が、前記スリットの前記中央突出部の幅寸法と同じかそれより小さな幅を有する基端部と、該基端部に連接され、最大幅が前記スリットの幅寸法にほぼ等しいか僅かに小さい先端係止部とを備え、前記係止片を前記頂壁の前記自由端縁で折曲して前記スリットに挿入すると、前記スリットの前記中央突出部に前記基端部が進入し、前記先端係止部が前記中央突出部の両側の前記フラップ内面に係合し、前記係止片を前記スリットから外すときには、前記線条を切り離して前記切り取り可能域を前記フラップと前記前壁とから除去し、前記係止片取り出し用の窓を形成することにある。
【０００９】
本発明の実施の形態の一例としては、前記頂壁の前記自由端縁における横方向中央部に凹所が形成され、前記係止片の前記基端部が、前記凹所を画成している前記自由端縁に連接している。
【００１０】
本発明の実施の形態の他の一例としては、前記係止片の前記先端係止部が、前記基端部の両側縁に対してほぼ直角に横方向外側に延びる肩部形成縁と、前記各肩部形成縁の端部どうしをむすぶ曲線とで形成された半円形状を呈している。
【００１１】
【発明の実施の形態】
添付の図面を参照し、本発明にかかる包装箱の詳細を説明すると、以下のとおりである。
【００１２】
図１，２は、いずれも包装箱１の斜視図であり、図１は、内部に物品を収納して頂壁９を閉じた状態を示し、図２は、頂壁９を閉じる前の状態を示している。図１，２では、上下方向を矢印Ｘ、横方向を矢印Ｙで示し、前後方向を矢印Ｚで示す。包装箱１は、互いに並行して上下方向へ延びる一対の前後壁２，３および一対の側壁４，５からなる胴部６と、後壁３の上端縁７に連接され、胴部６における一端（頂部側）の開口部８を開閉可能な頂壁９と、後壁３の下端縁１０に連接され、胴部６における他端（底部側）の開口部１１を開閉可能な底壁１２とを備え、胴部６、頂壁９および底壁１２が可撓性材料で形成され、胴部６の両端開口部８，１１が矩形を呈する六面体であり、上下に長い直方体を呈している。
【００１３】
包装箱１では、頂壁９と底壁１２とで両端開口部８，１１が閉鎖された胴部６内に収納部１３が形成される。包装箱１は、頂部側の開口部８から収納部１３に物品（図示せず）を収納した後、この開口部８を閉じ、それを棚や展示ケース等に陳列する。包装箱１は、その形状を直方体に限定するものではなく、立方体であってもよい。また、包装箱１は、その大きさに特に限定はなく、収納する物品に合わせてその大きさを適宜決定することができる。
【００１４】
この包装箱１において、頂壁９は、後壁３の上端縁７の反対側に位置して該上端縁７に平行な自由端縁１４を有し、自由端縁１４の中央部には、凹所１４ａが形成され、前壁２から後方へわずかに離間している。凹所１４ａを画成している自由端縁１４には、包装箱１の内側に係合可能な係止片１５が連接されている。
【００１５】
係止片１５は、自由端縁１４の側に位置する基端部１５ａと、基端部１５ａの前方に位置する先端係止部１５ｂとを有する。先端係止部１５ｂは、基端部１５ａの両側縁に対してほぼ直角に横方向外側に延びる肩部形成縁１５ｃと、各肩部形成縁１５ｃの端部どうしをむすぶ曲線１５ｄとで形成された半円形状を呈している。したがって、各肩部形成縁１５ｃの外端部間距離が、基端部１５ａの幅方向寸法よりも大きく、先端係止部１５ｂにおける横方向最大寸法Ｌ１となる。
【００１６】
前壁２の上端縁１６には、フラップ１７が連接されている。フラップ１７には、係止片１５を包装箱１の内側へ挿入可能なスリット１８が横方向へ延びて形成されている。スリット１８は、その中央部で前壁２の上端縁１６とは反対側の方向へ突出した中央突出部１８ａを有する。スリット１８は、頂壁９を上端縁７で折曲して開口部８を閉じるとき、係止片１５が該スリット１８に挿入可能な位置に形成されている。したがって、図３に示すようにフラップ１７が前壁２の上端縁１６で折曲されて開口部８を閉じる位置にあるとき、中央突出部１８ａと後壁３の上端縁７との前後方向距離Ｌ１が、頂壁９の凹所１４ａ内における自由端縁１４と上端縁７との前後方向距離Ｌ２にほぼ等しい。
【００１７】
また、係止片１５とスリット１８との関係において、係止片１５の先端係止部１５ｂの横方向最大寸法Ｗ１は、スリット１８の幅寸法（横方向の寸法）Ｗ２に等しいか僅かに小さく、係止片１５における基端部１５ａの幅寸法Ｗ３は、スリット１８における中央突出部１８ａの幅寸法（横方向の寸法）Ｗ４にほぼ等しいか僅かに小さい。さらに、スリット１８における中央突出部１８ａの突出長さ（前後方向の長さ寸法）Ｓは、係止片１５における基端部１５ａの厚み寸法にほぼ等しいか僅かに大きい。
【００１８】
フラップ１７と前壁２とには、スリット１８の両側部から前壁２の上端縁１６を越えて前壁２を上下方向へ延びる切り離し可能なＵ字状の線条１９が設けられており、この線条１９とスリット１８とにより切り取り可能域２０が画成されている。線条１９は、切り取り可能域２０をフラップ１７および前壁２にミシン目のように間欠的に連接している。前壁２には、側縁２１を介して接合代２２が連接されている。接合代２２は、左方の側壁４の内側に重なった状態で、側壁４に接着剤（図示せず）を介して固着されている。
【００１９】
底壁１２は、後壁３の下端縁１０の反対側に位置して該下端縁１０に平行な自由端縁２３と、自由端縁２３に連接された差し込み片２４とを有する。差し込み片２４は、自由端縁２３において略直角に折曲されて前壁２の内側に挿入されている。差し込み片２４は、前壁２の内側に重なった状態で、前壁２に接着剤（図示せず）を介して固着されている。底壁１２は、後壁３に連接されることなく、前壁２と左右の側壁４，５とのうちのいずれかに連接されていてもよい。左方の側壁４の上端縁２５と下端縁２６とには、それぞれフラップ２７，２８が連接されている。右方の側壁５の上端縁２９と下端縁３０とにも同様に、それぞれフラップ３１，３２が連接されている。
【００２０】
包装箱１では、図１に示すように、係止片１５がフラップ１７に形成されたスリット１８から包装箱１の内側に挿入されており、係止片１５の基端部１５ａがスリット１８の中央突出部１８ａに進入するとともに、係止片１５の先端係止部１５ｂが包装箱１の内側で中央突出部１８ａの両側のフラップ１７内面に係合している。包装箱１では、頂壁９が係止片１５によりフラップ１７に係合することで、頂壁９の開放が阻止されるので、胴部６の開口部８が不用意に開いてしまうことを防ぐことができる。
【００２１】
包装箱１では、Ｕ字状の線条１９とスリット１８とで囲繞された切り取り可能域２０を指で押すと、線条１９が切り離され、包装箱１の前壁２とフラップ１７とに、スリット１８から前壁２の下方へ向かって延びる窓３３が形成される。この窓３３から係止片１５を包装箱１の外側に引き出すことで、包装箱１と係止片１５との係合を解除することができ、頂壁９とフラップ１７，２７，３１とを包装箱１の上方へ旋回させて胴部６の開口部８を開けることができる。
【００２２】
包装箱１における胴部６の開口部８を再び閉じるには、フラップ２７，３１を閉じ、次いでフラップ１７を閉じ、最後に頂壁９を閉じ、係止片１５を再び窓３３から包装箱１の内側に挿入し、肩部形成縁１５ｃを、窓３３の一部となった中央突出部１８ａの両側におけるフラップ１７の内側に係合させればよい。このようにして、この包装箱１では、その内側に対する係止片１５の係合と解除とを繰り返すことができ、頂壁９によって胴部６の開口部８を何回でも開閉することができる。包装箱１では、フラップ１７と係止片１５との係合を解除するときに、係止片１５を無理に包装箱１の外側へ引き出す必要はなく、係止片１５が破損してしまうことはない。ゆえに、包装箱１では、従来の包装箱と比較し、胴部６の開口部８の開閉に支障を来たすことはない。
【００２３】
包装箱１では、包装箱１と係止片１５との係合を解除する場合には、スリット１８とＵ字状の線条１９とで囲繞される切り取り可能域２０をフラップ１７と前壁２とから切り取って窓３３を形成しなければならないので、窓３３が形成されていれば、包装箱１における胴部６の開口部８が少なくとも１回開けられたことが分かり、したがってスリット１８から包装箱１の内部に差し込まれた係止片１５を取り出すための切り離し可能なＵ字状の線条１９とこの線条１９で囲繞された切り取り可能域２０とでバージンシール手段が構成されることになる。
【００２４】
図５は、図１の包装箱１の展開平面図である。図５では、図の左方から右方へ向かって、左方の側壁４、後壁３、右方の側壁５、前壁２の順で並んでいる。前壁２には、側縁２１を介して糊代となる接合代２２が連接されている。前壁２と右方の側壁５とは、側縁３４を介して連接され、右方の側壁５と後壁３とは、側縁３５を介して連接され、後壁３と左方の側壁４とは、側縁３６を介して連接されている。
【００２５】
図５の展開平面図から包装箱１を組み立てる手順は、以下のとおりである。接合代２２、前後壁２，３、各側壁４，５が、隣接する各壁に対して直交するように各側縁２１，３４，３５，３６において折曲される。次に、それら接合代２２と、前後壁２，３及び各側壁４，５とを折曲した後は、互いに重なり合う左方の側壁４と接合代２２とを接着剤などで固着する。
【００２６】
さらに、各フラップ２７，２８が左方の側壁４に対して直交するように上端縁２５と下端縁２６とにおいて折曲され、各フラップ３１，３２が右方の側壁５に対して直交するように上端縁２９と下端縁３０とにおいて折曲される。次に、底壁１２が後壁２に対して直交するように下端縁１０において折曲され、差し込み片２４が底壁１２に対して直交するように自由端縁２３において折曲される。差し込み片２４を折曲した後は、これを前壁２の内側に挿入し、前壁２と差し込み片２４とを固着して底部側の開口部を閉じる。
【００２７】
その後、頂壁９が後壁３に対して直交するように上端縁７において折曲され、係止片１５が頂壁９に対して直交するように自由端縁１４において折曲されるとともに、係止片１５がスリット１８から包装箱１の内側に挿入され、頂部側の開口部８が閉じられる。
【００２８】
包装箱１の材質としては、クラフト紙やグラシン紙等の紙、ポリプロピレンやポリエチレン等の熱可塑性合成樹脂から形成されたプラスチックシート、または、紙とプラスチックシートとをラミネートした複合シートのいずれかを使用することができる。
【００２９】
左方の側壁４と接合代２２との固着や前壁２と差し込み片２４との固着には、接着剤の他に、ヒートシールや超音波接合等の熱による溶着手段を利用することができる。図示の包装箱１では、係止片１５を包装箱１内から取り出すとき、切り取り可能域２０を完全に除去するようにしたものであったが、Ｕ字状の線条１９におけるスリット１８の中央突出部１８ａとは反対側に位置する部分を切り取り不能にしておき、切り取り可能域２０を扉のように開閉可能にしておくこともできる。
【００３０】
【発明の効果】
本発明に係る包装箱によれば、係止片を差し込むスリットの両端からＵ字状の線条を設けて切り取り可能域を形成したので、フラップのスリットから前壁の下方へ向かって延びる窓が形成されるので、窓を利用して係止片を包装箱の内側から外側へ引き出すことができ、係止片と包装箱との係合を容易に解除することができる。
【００３１】
この包装箱では、頂部側の開口部を閉じるときに、係止片を窓から包装箱の内部に挿入し、係止片を包装箱の内部に係合させればよく、包装箱の内側に対する係止片の係合と解除とを繰り返すことができ、頂壁によって頂部側の開口部を何回でも開閉することができる。ゆえに、この包装箱では、頂部側の開口の開閉に支障を来たすことはない。
【００３２】
この包装箱では、係止片と包装箱との係合を解除するときに、切り取り可能域を前壁とフラップから切り離さなければならないので、切り取り可能域が前壁とフラップとから切り離されていれば、包装箱における頂部側の開口部が少なくとも１回開けられたことがわかる、バージンシール機能を与えることにもなる。
【図面の簡単な説明】
【図１】包装箱の斜視図。
【図２】頂壁とフラップとを頂部側の開口部から開いた状態で示す包装箱の斜視図。
【図３】前壁に連接するフラップを閉じ、他のフラップと頂壁を開いた状態で示す包装箱の上面図。
【図４】包装箱の上部を拡大して示す部分的な斜視図。
【図５】図１に示す包装箱の展開平面図。
【符号の説明】
１  包装箱
２  前壁
３  後壁
４，５  側壁
６  胴部
７  後壁の上端縁
８  一端の開口部
９  頂壁
１０  後壁の下端縁
１１  他端の開口部
１２  底壁
１３  収納部
１４  自由端縁
１４ａ  凹所
１５  係止片
１５ａ  基端部
１５ｂ  先端係止部
１５ｃ  肩部形成縁
１５ｄ  曲線
１６  前壁の上端縁
１７  フラップ
１８  スリット
１８ａ  中央突出部
１９  切り離し可能なＵ字状の線条
２０  切り取り可能域
３３  窓
【図１】
2004352273.tif 000003
【図２】
2004352273.tif 000004
【図３】
2004352273.tif 000005
【図４】
2004352273.tif 000006
【図５】
2004352273.tif 000007